(57)【特許請求の範囲】
【請求項１】
コンクリート製の水平駆体を成型する水平型枠板と、前記水平駆体に交叉した垂直駆体を成型する対向した垂直型枠板と、該垂直型枠板相互を緊結するセパレータと、該セパレータに連結され外方に配置された前記垂直型枠板から突出される緊結ボルトと、該緊結ボルトに着脱可能に嵌挿される緊結部材および該緊結ボルトに螺合されるナットを用いて前記緊結部材と外方の前記垂直型枠板との間に縦横に適宜複数本が配列される縦添設部材と横添設部材とを緊結するようにしたコンクリート駆体の型枠板支持装置において、外方の前記垂直型枠板の外側に沿って略平行に支柱部材を縦に所望複数本立設し、該支柱部材は、水平駆体に対する水平型枠板の下面に適宜複数本設けられた所望の桟材の側面に対し長手方向側方に連結されて張出された取付板を介して着脱可能に取付けられる貫通された固定管部と、該固定管部内に垂直型枠板に対する設置高さを長短調整するように昇降可能に挿入された可動管部とから形成され、前記垂直型枠板に向けて該支柱部材に略９０度交叉して支持杆を設け、該支持杆の先端に装設した固定手段により横添設部材の何れかを着脱自在に固定し、支持することを特徴としたコンクリート駆体の型枠板支持装置。
【請求項２】
前記支持杆は、支柱部材に対して前記支持杆の軸長方向に交叉する方向に配した軸部により回動可能に枢支されることを特徴とする請求項１に記載のコンクリート駆体の型枠板支持装置。
【請求項３】
前記支持杆は、雄ねじ杆により形成され、該雄ねじ杆は可動管部の先端部内に軸部を介して回動可能に枢支される雌ねじ保持環体内に螺挿されることを特徴とする請求項１または請求項２に記載のコンクリート駆体の型枠板支持装置。
【請求項４】
前記固定手段は、前記横添設部材の少なくとも１つを抱持可能に支持杆の先端に軸周りに回動可能に取付けられる二股状部と、該二股状部の対向する側壁面部に前記横添設部材の外側に嵌脱可能に嵌挿され、前記横添設部材の外側に配置される楔体とにより形成されることを特徴とする請求項１，請求項２,請求項３の何れかに記載のコンクリート駆体の型枠板支持装置。
【請求項５】
コンクリート製の水平駆体を成型する水平型枠板に交叉し対向して配置された垂直型枠板のうち外側の垂直型枠板に沿って略平行に、前記水平型枠板の下面に適宜複数本設けた所望の桟材の側面に対し長手方向側方に連結し、張出された取付板を介して着脱可能に取付けられる貫通された固定管部と、該固定管部内に設置長さを長短調整するように昇降可能に挿入された可動管部とで構成される支柱部材を縦に所望複数本立設する工程と、前記垂直型枠板に向けて支柱部材に略９０度交叉して設けた支持杆の先端に装設する固定手段により垂直型枠板の外側に添設される横添設部材の何れかを着脱自在に固定する工程とを含むことを特徴としたコンクリート駆体の成型工法。
【請求項６】
コンクリート製の水平駆体を成型する水平型枠板に交叉し対向して配置された垂直型枠板のうち外側の垂直型枠板に沿って略平行に、前記水平型枠板の下面に適宜複数本設けた所望の桟材の側面に対し長手方向側方に連結し、張出された取付板を介して着脱可能に取付けられる貫通された固定管部と、該固定管部内に設置長さを長短調整するように昇降可能に挿入された可動管部とで構成される支柱部材を縦に所望複数本立設する工程と、前記支柱部材に対して支持杆の軸長方向に交叉する方向に配した軸部を枢支軸として回動可能に前記垂直型枠板に向けて支柱部材に略９０度交叉して支持杆を設け、該支持杆の先端に装設する固定手段により垂直型枠板の外側に添設される横添設部材の何れかを着脱自在に固定する工程とを含むことを特徴としたコンクリート駆体の成型工法。
【請求項７】
コンクリート製の水平駆体を成型する水平型枠板に交叉し対向して配置された外側の垂直型枠板に向け該垂直型枠板の外側に添設する横添設部材の何れかを抱持する固定手段を装設した支持杆を、前記水平型枠板の下面に適宜複数本設けた所望の桟材の側面に対し長手方向側方に連結し、張出された取付板を介して着脱可能に取付けられる貫通された固定管部と、該固定管部内に設置長さを長短調整するように昇降可能に挿入された可動管部とで構成される支柱部材に設け、該支柱部材を垂直駆体のコンクリートが養生・固化された剥型後に前記支持杆毎移送して同一階層以外の上層階の横添設部材を固定することにより水平型枠板と垂直型枠板とを支持させることを特徴としたコンクリート駆体の成型工法。
【発明の詳細な説明】
【０００１】
【発明の属する技術分野】
本発明はコンクリート駆体の型枠板支持装置およびコンクリート駆体の成型工法に関し、現場においてコンクリート製の建築物、例えばビルやマンションの外周りに設けられるベランダ、バルコニー、また屋上において周囲を垂直壁により囲むように設けられる保護柵としてのパラペット部分、さらには階段を構築したり、土木構築物を構築するのに水平型枠板および垂直型枠板相互の組付けと水平型枠板および垂直型枠板に対するコンクリート構築物の剥型が効率的に行え、しかも型枠板を支持する構成部材の反復使用を行え、経済性が優れたものにする。
【０００２】
【従来の技術】
従来、コンクリート製の建築構築物や土木構築物を成型する場合に型枠板が使用されるが、この型枠板は現場において組付けが行われる。
また組付けが行われた型枠板間に形成されるコンクリート打設空間部内にコンクリートを打設してから養生・固化が行われる。その後、組付けが行われていた型枠板を分解することにより剥型してコンクリート構築物を得る。
このコンクリート駆体の型枠板支持装置には従来例えば図６および図７に示すものがある。
図では建築構築物としてベランダを成型する場合が示されている。
すなわち、コンクリート製の水平駆体ａを成型する水平型枠板ｂと、前記水平駆体ａに交叉する垂直駆体ｃを成型する対向した垂直型枠板ｄ,ｄ′と、該垂直型枠板ｄ,ｄ′の内方に対向して配置され内側には雌ねじ孔ｅを設け、外側には前記垂直型枠板ｄ,ｄ′を貫通する雄ねじ部fが設けられたコーン主体ｇと、該コーン主体ｇの前記雌ねじ孔ｅに螺入されるねじ部ｈ,ｈ′が両端に設けられ前記垂直型枠板ｄ,ｄ′相互を緊結するセパレータｉと、前記セパレータｉに連結され外方に配置された前記垂直型枠板ｄ,ｄ′から必要に応じて外挿する羽根付き外筒ｊ１を介して突出される緊結ボルトｊ,ｊと、該緊結ボルトｊ,ｊに着脱可能に嵌挿される側面略Ｃ形の緊結部材ｋ,ｋおよび緊結ボルトｊ,ｊに螺合されるナットｌ,ｌを用いて前記緊結部材ｋ,ｋと前記垂直型枠板ｄ,ｄ′との間に縦横に適宜複数本が配列される縦添設部材ｍと横添設部材ｎとを緊結するようにした。
ｏは水平型枠板ｂと内方の垂直型枠板ｄ′を相互に支持するための支持手段として斜めに配置される支持体であり、この支持体ｏは斜めに所望角度θに配置され、一端には内方の垂直型枠板ｄ′に対する横添設部材ｎとしての横パイプｎ′を挟持することにより取付が行われる二股部材ｐが設けられ、他端には水平型枠板ｂに固定される脚部ｑ,ｑを有する略山形をしたアンカー金具本体ｒの一方の前記脚部ｑにアンカーボルトｓを装着し、このアンカーボルトｓにターンバックル形式の連結パイプｔと連結パイプｔ′とを連結するものであった。
ｕは水平型枠板ｂの下面を横に配した適宜複数個の桟材ｖと、縦に配した適宜複数本の根太ｗを介して支持するために立設される支柱である。
そして、水平型枠板ｂの上面および水平型枠板ｂに交叉して設けられる垂直型枠板ｄ,ｄ′相互間に形成するコンクリート打設空間部Ｋ′内にコンクリートＣ′を打設する。その後水平駆体ａおよび垂直駆体ｃの剥型を行うのには、コンクリートＣ′が養生・固化してから、先ず内方の垂直型枠板ｄ′と水平型板枠板ｂとの間に斜めに配置された支持体ｏの一端に設けた二股部材ｐを横パイプｎ′から取り外し、支持体ｏの他端を水平型枠板ｂに固定されている略山形のアンカー金具本体ｒの脚部ｑの一方に装着され、水平駆体ａから突出されているアンカーボルトｓを切断することによりアンカー金具本体ｒから切り離して水平型枠板ｂと垂直型枠板ｄ′に対する支持体ｏの支持を解く。
それからナットｌを緊結ボルトｊの雄ねじ部から螺退することにより側面略Ｃ形の緊結部材ｋを緊結ボルトｊから取り外す。次いで緊結ボルトｊおよびナットｌとをコーン主体ｇの雄ねじ部ｆから取り外すことにより対向する内外の垂直型枠板ｄ,ｄ′を垂直駆体ｃから剥型する。さらに支柱ｕ、根太ｗ、桟材ｖを外すことにより水平型枠板ｂを水平駆体ａから剥型させ、コンクリート構築物を得る。
【０００３】
【発明が解決しようとする課題】
しかしながら、図６および図７に示す上記従来のコンクリート駆体の型枠板支持装置は、内方の垂直型枠板ｄ′と水平型枠板ｂとの組付けを行うのに、支持体ｏの一端に設けた二股部材ｐを横添設部材ｎとしての横パイプｎ′に挟持させて支持体ｏの一端を取付るとともに支持体ｏの他端を水平型枠板ｂに固定されている略山形のアンカー金具本体ｒの脚部ｑの一方に装着したアンカーボルトｓに連結することにより水平型枠板ｂと垂直型枠板ｄ′との間に斜めに支持体ｏを介在して型枠板を組み付けていた。
またコンクリートＣ′が養生・固化後に水平駆体ａと垂直駆体ｃとの剥型を行うには、支持体ｏの一端の二股部材ｐを横添設部材ｎとしての横パイプｎ′から挟持を解放することにより行う。そして、アンカーボルトｓが水平駆体ａから突出したままだと躓いて転倒するなどの危険を防止する観点からアンカーボルトｓの水平駆体ａからの突出部分を水平駆体ａの上面から切断することによりアンカー金具本体ｒから支持体ｏの他端を切り離して水平型枠板ｂと垂直型枠板ｄ′との支持体ｏの支持を解かなければならなかった。
このため、水平型枠板ｂと垂直型枠板ｄ′との組付けを行ったり、またはコンクリートＣ′が養生・固化後に水平型枠板ｂと垂直型枠板ｄ′とをコンクリート駆体から剥型を行うために多くの時間と手間を必要としていた。実に、水平駆体ａが完全に養生・固化するまでには約１ヶ月程度の期間を必要とし、その間型枠板を剥型することはできなかった。しかも、コンクリートＣ′が養生・固化することによりコンクリート駆体を得るまでの間、ひび割れを防止したり、崩落するのを防止して構造的な強度を充分に発揮させる観点から型枠板の組付けを解くことができないため、型枠板の支持には多くの支持体ｏが必要不可欠な構成部品となる。従ってコンクリート構造体として水平駆体ａと垂直駆体ｃとを成型するために施工工事は非能率的であった。
そして、前述のように水平型枠板ｂと内側の垂直型枠板ｄ′との間に斜めに所望複数本の支持体ｏを介在することにより垂直型枠板ｄ,ｄ′の転倒を防止したり、傾きを防いで垂直型枠板d,ｄ′を確実に支持するものであるので、多くの支持体ｏが存在することにより邪魔になって作業スペースが狭くなり、コンクリート駆体の成型作業がしにくく安全性が損なわれるという不都合があった。
【０００４】
本発明は上記従来のコンクリート駆体の型枠板支持装置の欠点を解決し、コンクリート打設時に水平型枠板と垂直型枠板との組付けやコンクリートが養生・固化後に多くの時間と手間とを要することなく迅速かつ確実にコンクリート駆体から型枠板の剥型が行え、コンクリート駆体の成型作業効率が大幅に向上し、しかも作業スペースが広く作業が安全に行え、さらには型枠板の支持に要する構成部品も少なくて済み、他の作業が迅速かつ円滑に行え、設備費、資材費は安価になるコンクリート駆体の型枠板支持装置およびコンクリート駆体の成型工法を提供するものである。
【０００５】
【課題を解決するための手段】
本発明は上記課題に鑑みなされたものであり、請求項１は、コンクリート製の水平駆体を成型する水平型枠板と、前記水平駆体に交叉した垂直駆体を成型する対向した垂直型枠板と、該垂直型枠板相互を緊結するセパレータと、該セパレータに連結され外方に配置された前記垂直型枠板から突出される緊結ボルトと、該緊結ボルトに着脱可能に嵌挿される緊結部材および該緊結ボルトに螺合されるナットを用いて前記緊結部材と外方の前記垂直型枠板との間に縦横に適宜複数本が配列される縦添設部材と横添設部材とを緊結するようにしたコンクリート駆体の型枠板支持装置において、外方の前記垂直型枠板の外側に沿って略平行に支柱部材を縦に所望複数本立設し、該支柱部材は、水平駆体に対する水平型枠板の下面に適宜複数本設けられた所望の桟材の側面に対し長手方向側方に連結されて張出された取付板を介して着脱可能に取付けられる貫通された固定管部と、該固定管部内に垂直型枠板に対する設置高さを長短調整するように昇降可能に挿入された可動管部とから形成され、前記垂直型枠板に向けて該支柱部材に略９０度交叉して支持杆を設け、該支持杆の先端に装設した固定手段により横添設部材の何れかを着脱自在に固定し、支持することを特徴とする。
【０００７】
また本発明の請求項２の発明は、請求項１において前記支持杆は、支柱部材に対して前記支持杆の軸長方向に交叉する方向に配した軸部により回動可能に枢支されることを特徴とする。
【０００８】
また本発明の請求項３に記載の発明は、請求項１または請求項２において前記支持杆は、雄ねじ杆により形成され、該雄ねじ杆は可動管部の先端部内に軸部を介して回動可能に枢支される雌ねじ保持環体内に螺挿されることを特徴とする。
【０００９】
また本発明の請求項４に記載の発明は、請求項１、請求項２、または請求項３において前記固定手段は、前記横添設部材の少なくとも１つを抱持可能に支持杆の先端に軸周りに回動可能に取付けられる二股状部と、該二股状部の対向する側壁面部に嵌脱可能に嵌挿され、前記横添設部材の外側に配置される楔体とにより形成されることを特徴とする。
【００１０】
また本発明の請求項５に記載の発明は、コンクリート製の水平駆体を成型する水平型枠板に交叉し対向して配置された垂直型枠板のうち外側の垂直型枠板に沿って略平行に、前記水平型枠板の下面に適宜複数本設けた所望の桟材の側面に対し長手方向側方に連結し、張出された取付板を介して着脱可能に取付けられる貫通された固定管部と、該固定管部内に設置長さを長短調整するように昇降可能に挿入された可動管部とで構成される支柱部材を縦に所望複数本立設する工程と、前記垂直型枠板に向けて支柱部材に略９０度交叉して設けた支持杆の先端に装設する固定手段により垂直型枠板の外側に添設される横添設部材の何れかを着脱自在に固定する工程とを含むことを特徴とする。
【００１１】
また本発明の請求項６に記載の発明は、コンクリート製の水平駆体を成型する水平型枠板に交叉し対向して配置された垂直型枠板のうち外側の垂直型枠板に沿って略平行に、前記水平型枠板の下面に適宜複数本設けた所望の桟材の側面に対し長手方向側方に連結し、張出された取付板を介して着脱可能に取付けられる貫通された固定管部と、該固定管部内に設置長さを長短調整するように昇降可能に挿入された可動管部とで構成される支柱部材を縦に所望複数本立設する工程と、前記支柱部材に対して支持杆の軸長方向に交叉する方向に配した軸部を枢支軸として回動可能に前記垂直型枠板に向けて支柱部材に略９０度交叉して支持杆を設け、該支持杆の先端に装設する固定手段により垂直型枠板の外側に添設される横添設部材の何れかを着脱自在に固定する工程とを含むことを特徴とする。
【００１２】
また本発明の請求項７に記載の発明は、コンクリート製の水平駆体を成型する水平型枠板に交叉し対向して配置された外側の垂直型枠板に向け該垂直型枠板の外側に添設する横添設部材の何れかを抱持する固定手段を装設した支持杆を、前記水平型枠板の下面に適宜複数本設けた所望の桟材の側面に対し長手方向側方に連結し、張出された取付板を介して着脱可能に取付けられる貫通された固定管部と、該固定管部内に設置長さを長短調整するように昇降可能に挿入された可動管部とで構成される支柱部材に設け、該支柱部材を垂直駆体のコンクリートが養生・固化された剥型後に前記支持杆毎移送して同一階層以外の上層階の横添設部材を固定することにより水平型枠板と垂直型枠板とを支持させることを特徴とする。
【００１３】
【発明の実施の形態】
以下図に従って本発明の実施の形態の具体例を説明する。
図１ないし図５は本発明のコンクリート駆体の型枠板支持装置を示す第１実施形態である。この実施形態では、コンクリート製の水平駆体１を成型する水平型枠板２と、前記水平駆体１に交叉する垂直駆体３を成型する対向した垂直型枠板４,４′と、該垂直型枠板４,４′相互を緊結するセパレータ５と、該セパレータ５に連結され外方に配置された前記垂直型枠板４から外方へ突出される緊結ボルト６と、該緊結ボルト６に着脱可能に嵌挿される側面Ｃ字形の緊結部材７および該緊結ボルト６に螺合されるナット８を用いて前記緊結部材７と外方の前記垂直型枠板４との間に縦横に適宜複数本が配列される縦添設部材９と横添設部材１０とを緊結するようにした点は図６および図７に示す従来のコンクリート駆体の型枠板支持装置と略同様である。
【００１４】
しかしながら、本実施形態では外方の前記垂直型枠板４の外側に沿って略平行に支柱部材１１を縦に所望複数本立設し、前記垂直型枠板４に向けて該支柱部材１１に略９０度交叉して支持杆１２を設け、該支持杆１２の先端に装設した固定手段１３により前記横添設部材１０の何れかを着脱自在に固定し、支持するようになっている。
【００１５】
前記支柱部材１１は、水平駆体１に対する水平型枠板２の下面に適宜複数本が設けられた所望の桟材１４の側面に対し長手方向側方に連結されて張出された取付板１５を介して着脱可能に取付けられる大径の貫通された固定管部１６と、該固定管部１６内に垂直型枠板４に対する設置高さＨを長短調整するように昇降可能に挿入された小径の可動管部１７とから形成される（図１ないし図４参照）。Ｖは長短調整可能に挿入される可動管部１７を固定管部１６内に取付るための止めボルトである。
【００１６】
前記支持杆１２は、支柱部材１１に対して前記支持杆１２の軸長方向Ｘに交叉する方向に配した軸部１８（図３，図４参照）により矢印イ方向に回動可能に枢支される。また前記支持杆１２は、雄ねじ杆１９により形成され、該雄ねじ杆１９は可動管部１７の先端部に前記軸部１８を介して回動可能に枢支される雌ねじ保持環体２０内に螺挿される。
１７ａは可動管部１７の外周に軸長方向に設けられた逃げ溝であり、この逃げ溝１７ａは不使用時に軸部１８を中心に支持杆１２を回動操作することにより支持杆１２の後端部１２ａを逃げ溝１７ａに収容させて可動管部１７内に支持杆１２を収納するためのものである。図４においてＡは可動管部１７に設けられた結合杆であり、この結合杆Ａは、作業者が作業中に図には示さない親綱を縛ることにより身体を親綱により保持することにより転落事故を防止して作業の安全をはかるためのものである。
【００１７】
前記固定手段１３は、前記横添設部材１０の少なくとも１つを抱持可能に支持杆１２の先端に軸周りに回動可能に取付けられる二股状部２１と、該二股状部２１の対向する側壁面部２１ａ,２１ａに設けたスリット内に嵌脱可能に嵌挿され、前記横添設部材１０の外側に配置される楔体２２とにより形成される。また固定手段１３は、例示するものは代表的な例示であり、これに限られるものではない。しかも、横添設部材１０としては、例えば調達が容易なことと、強度が保証されて反復使用にも適うことから例えば金属により形成されるパイプ材が使用される。
【００１８】
図５において２３はコーン主体であり、このコーン主体２３は対向する前記垂直型枠板４,４′相互を緊結するために該垂直型枠板４,４′の内側に対向して配置されるように、例えば合成樹脂可塑物により形成され、その内側には前記セパレータ５の両端に設けたねじ部５ａ,５ａを螺合する雌ねじ孔２３ａを設け、外側には前記垂直型枠板４,４′を貫通し、外側の前記垂直型枠板４においては前記緊結ボルト６の一端に設けた雌ねじ受凹部６ａ内に螺合されるか、または内側の前記垂直型枠板４′においてはナット２４が螺合される雄ねじ部２５が設けられている。
【００１９】
図１において２６は前記桟材１４の下面に該桟材１４に交叉するように配列された根太材であり、この根太材２６、桟材１４を介して前記水平型枠板２は支柱２７により下面から支持されるようになっている。
【００２０】
２８は支柱部材１１の外方に組立てられる組立足場である。
【００２１】
本発明のコンクリート駆体の型枠支持装置の一実施形態は以上の構成からなり、水平駆体１と垂直駆体３とよりなるコンクリート駆体を施工現場において成型するための成型工法の一例を以下工程順に説明する。
先ず、第１工程としてコンクリート製の水平駆体１を成型する水平型枠板２に交叉し対向して配置された垂直型枠板４,４′のうち、外方の垂直型枠板４の外側に沿って略平行に支柱部材１１を縦に所望複数本立設する（図１参照）。
【００２２】
このように支柱部材１１を垂直型枠板４の外側に沿って略平行に縦に立設するには、水平駆体１を形成するための水平型枠板２の下面に適宜複数本が設けられた桟材１４に側方に張出された取付板１５を介して着脱可能に固定管部１６を取付ける。そして、該固定管部１６内に昇降可能に挿入された可動管部１７を止めボルトＶにより固定することにより垂直型枠板４に対する設置高さＨを長短調整して取付ければ良い。
【００２３】
この際、水平型枠板２は、桟材１４の下面に該桟材１４に交叉するように配列された根太材２６を支柱２７により下面から支持される。また垂直型枠板４,４′を内外対向して組付けるには、図５に示すように垂直型枠板４,４′の内側に対向してコーン主体２３,２３を配置し、このコーン主体２３,２３の内側に設ける雌ねじ孔２３ａ,２３ａ内にセパレータ５の両端に設けたねじ部５ａ,５ａを螺合する。そして、コーン主体２３,２３の外側に設けた雄ねじ部２５,２５を垂直型枠板４,４′に貫通させる。このうち、外側に配置される前記垂直型枠板４においては前記緊結ボルト６の一端に設けた雌ねじ受凹部６ａ内に雄ねじ部２５を螺合させることによりセパレータ５に緊結ボルト６を連結する。また内側に配列される前記垂直型枠板４′においてはナット２４を雄ねじ部２５に螺合する。そして、緊結ボルト６には緊結部材７を着脱可能に嵌挿し、また必要に応じて羽根付き外筒を緊結ボルト６に対して外装の上、緊結部材７と外方の前記垂直型枠板４との間に縦横に適宜複数本の縦添設部材９と横添設部材１０とを配列してからナット８を緊結ボルト６に螺合することにより緊結する。こうして、垂直型枠板４,４′相互を対向して組付ける（図１，図１１参照）。
【００２４】
次いで第２工程として前記垂直型枠板４に向けて支柱部材１１に略９０度に交叉して設けた支持杆１２の先端に装設する固定手段１３により垂直型枠板４の外側に添設される前記横添設部材１０の何れかを着脱自在に固定する。
【００２５】
この際、支持杆１２は雄ねじ杆１９により形成され、図３に示すように該雄ねじ杆１９は可動管部１７の先端部内に軸部１８を介して回動可能に枢支される雌ねじ保持環体２０内に螺挿されているので、不使用時に可動管部１７内に挿入されている雄ねじ杆１９を雌ねじ保持環体２０に対して回動させることにより雌ねじ保持環体２０に対する雄ねじ杆１９の取付長さを長短調整し、可動管部１７から出す。その後、軸部１８を枢支軸として支持杆１２を回動することにより支持杆１２を垂直型枠板４に略９０度に交叉して向ける（図１参照）。
【００２６】
そして、支持杆１２の先端に装設する固定手段１３により垂直型枠板４の外側に添設される前記横添設部材１０の何れかを固定するには、支持杆１２の先端に軸周りに回動可能に取付けられることにより固定角度が調整される二股状部２１の対向する側壁面部２１ａ,２１ａにより横添設部材１０の少なくとも１つを抱持する。その後、この側壁面部２１ａ,２１ａに設けたスリット内に楔体２２を嵌挿することにより固定手段１３にて横添設部材１０を固定する。こうして、水平型枠板２に対して垂直型枠板４,４′を略９０度交叉するように支持杆１２を介して対向して支持することができる。
それから、水平型枠板２の上面およびこの水平型枠板２に交叉して設けられる垂直型枠板４,４′間に形成するコンクリート打設空間部Ｋ内にコンクリートＣを打設する。
【００２７】
その後、所望期間を経てコンクリートＣが養生・固化してからコンクリート駆体の剥型を行う。
これには、先ず外方の垂直型枠板４に添設されている横添設部材１０を支持、固定している支持杆１２の固定を、楔体２２を二股状部２１から引き抜くことにより解き、その後に支持杆１２を横添設部材１０から取り外す。
【００２８】
それからナット８を緊結ボルト６の雄ねじ部６ｂから螺退し、次いで側面略Ｃ形の緊結部材７を緊結ボルト６から取り外す。その後、雌ねじ受部６ａとナット２４とを対向するコーン主体２３,２３の雄ねじ部２５,２５からそれぞれ取り外すことにより対向する内外の垂直型枠板４,４′を垂直駆体３から剥型する。さらに支柱２７、根太２６、桟材１４を外すことにより水平型枠板２を水平駆体１から剥型させ、コンクリート構築物を得る。
【００２９】
ところが、コンクリート駆体に対する型枠板４,４′の他の短期的な剥型工法として、コンクリート駆体における水平駆体１が完全に養生・固化する１ヶ月程度を経過するのを待つことなく、例えば水平駆体１に比較して荷重等に対して大きな強度が要求されない垂直駆体３の養生・固化が進行している中途の例えばコンクリート打設時から２日か３日を経過した段階において、前述のようにコンクリート製の水平駆体１を成型するための水平型枠板２に略９０度交叉して対向して配置された外側の垂直型枠板４に向け該垂直型枠板４の外側に添設されている横添設部材１０の何れかを抱持するための固定手段１３を装設した支持杆１２を前述と同様な工程操作により横添設部材１０から取り外し、垂直駆体３から垂直型枠板４,４′を剥型させ、部分的な剥型を行う。この間、水平型枠板２に対する支柱２７の支持は、コンクリートＣが完全に養生・固化してひび割れたり、崩落したりすることなく構造が堅牢になるまでの間、支持をそのまま続行し、剥型は行わないでおく。
【００３０】
こうして横添設部材１０から取り外される固定手段１３を支持杆１２に有した支柱部材１４は、下層階の垂直駆体３のコンクリートＣが養生・固化された段階にて部分的な剥型が行われた後に支持杆１２毎同一階層以外の新たなコンクリート構築物への構築場所、例えば上層階へと移送して前述のような操作により横添設部材１０を固定し、水平型枠板２と垂直型枠板４とを支持し、組付けるために使用に供される。従って、数多くの支柱部材１４と支持杆１２とを用意しなくても構成部品の共用化がはかれ、設備費、資材費が従来よりも低廉になり、経済的な無駄を省け、工期は大幅に短縮され、コンクリート駆体を効率的に成型することができる。
【００３１】
【発明の効果】
本発明の請求項１に記載の発明は、以上の如くコンクリート製の水平駆体を成型する水平型枠板と、前記水平駆体に交叉した垂直駆体を成型する対向した垂直型枠板と、該垂直型枠板相互を緊結するセパレータと、該セパレータに連結され外方に配置された前記垂直型枠板から突出される緊結ボルトと、該緊結ボルトに着脱可能に嵌挿される緊結部材および該緊結ボルトに螺合されるナットを用いて前記緊結部材と外方の前記垂直型枠板との間に縦横に適宜複数本が配列される縦添設部材と横添設部材とを緊結するようにしたコンクリート駆体の型枠板支持装置において、外方の前記垂直型枠板の外側に沿って略平行に支柱部材を縦に所望複数本立設し、該支柱部材は、水平駆体に対する水平型枠板の下面に適宜複数本設けられた所望の桟材の側面に対し長手方向側方に連結されて張出された取付板を介して着脱可能に取付けられる貫通された固定管部と、該固定管部内に垂直型枠板に対する設置高さを長短調整するように昇降可能に挿入された可動管部とから形成され、前記垂直型枠板に向けて該支柱部材に略９０度交叉して支持杆を設け、該支持杆の先端に装設した固定手段により前記横添設部材の何れかを着脱自在に固定し、支持することを特徴とし、また請求項５に記載の発明は、コンクリート製の水平駆体を成型する水平型枠板に交叉し対向して配置された垂直型枠板のうち外側の垂直型枠板に沿って略平行に、前記水平型枠板の下面に適宜複数本設けた所望の桟材の側面に対し長手方向側方に連結し、張出された取付板を介して着脱可能に取付けられる貫通された固定管部と、該固定管部内に設置長さを長短調整するように昇降可能に挿入された可動管部とで構成される支柱部材を縦に所望複数本立設する工程と、前記垂直型枠板に向けて支柱部材に略９０度交叉して設けた支持杆の先端に装設する固定手段により垂直型枠板の外側に添設される横添設部材の何れかを着脱自在に固定する工程とを含むことを特徴とし、さらに請求項６に記載の発明は、コンクリート製の水平駆体を成型する水平型枠板に交叉し対向して配置された垂直型枠板のうち外側の垂直型枠板に沿って略平行に、前記水平型枠板の下面に適宜複数本設けた所望の桟材の側面に対し長手方向側方に連結し、張出された取付板を介して着脱可能に取付けられる貫通された固定管部と、該固定管部内に設置長さを長短調整するように昇降可能に挿入された可動管部とで構成される支柱部材を縦に所望複数本立設する工程と、前記支柱部材に対して支持杆の軸長方向に交叉する方向に配した軸部を枢支軸として回動可能に前記垂直型枠板に向けて支柱部材に略９０度交叉して支持杆を設け、該支持杆の先端に装設する固定手段により垂直型枠板の外側に添設される横添設部材の何れかを着脱自在に固定する工程とを含むことを特徴としたので、水平型枠板と垂直型枠板との組付けを行ったり、コンクリートが養生・固化後にコンクリート駆体から型枠板の剥型を行うのに多くの手間を要することなく短時間で行え、作業効率が大幅に向上し、作業スペースが広くなり、型枠板の組付作業とコンクリート駆体の離型作業とのほかの作業が安全のうちに行え、さらには型枠板の支持作業に要する構成部品も少なくて済み、資材費は安価になる。
【００３２】
また本発明の請求項１の発明は、支柱部材は、水平駆体に対する水平型枠板の下面に適宜複数本設けられた所望の桟材の側面に対し側方に張出された取付板を介して着脱可能に取付けられる貫通された固定管部と、該固定管部内に垂直型枠板に対する設置高さを長短調整するように昇降可能に挿入された可動管部とから形成されるので、支柱部材を垂直型枠板の外側に沿って簡単かつ確実に取付ることができるとともに容易に支柱部材の支柱部材に対する設置高さを長短調整できる。
【００３３】
また本発明の請求項２の発明は、請求項１において前記支持杆は、支柱部材に対して前記支持杆の軸長方向に交叉する方向に配した軸部により回動可能に枢支されるので、支持杆を容易に垂直型枠板に添設した横添設部材の何れかに一致させて支持することができる。
【００３４】
また本発明の請求項３に記載の発明は、請求項１または請求項２において前記支持杆は、雄ねじ杆により形成され、該雄ねじ杆は可動管部の先端部内に軸部を介して回動可能に枢支される雌ねじ保持環体内に螺挿されることを特徴とするので、支持杆の長さと向きを調整することによりを容易に垂直型枠板に添設した横添設部材の何れかに一致させて支持することができる。
【００３５】
また本発明の請求項４に記載の発明は、請求項１、請求項２、または請求項３において前記固定手段は、横添設部材の少なくとも１つを抱持可能に支持杆の先端に軸周りに回動可能に取付けられる二股状部と、該二股状部の対向する側壁面部に嵌脱可能に嵌挿され、前記横添設部材の外側に配置される楔体とにより形成されることを特徴とするので、容易に垂直型枠板に添設した横添設部材の何れかを固定して支持杆にて支持することができる。
【００３６】
また本発明の請求項７に記載の発明は、コンクリート製の水平駆体を成型する水平型枠板に交叉し対向して配置された外側の垂直型枠板に向け該垂直型枠板の外側に添設する横添設部材の何れかを抱持する固定手段を装設した支持杆を、前記水平型枠板の下面に適宜複数本設けた所望の桟材の側面に対し長手方向側方に連結し、張出された取付板を介して着脱可能に取付けられる貫通された固定管部と、該固定管部内に設置長さを長短調整するように昇降可能に挿入された可動管部とで構成される支柱部材に設け、該支柱部材を垂直駆体のコンクリートが養生・固化された剥型後に前記支持杆毎移送して同一階層以外の上層階の横添設部材を固定することにより水平型枠板と垂直型枠板とを支持させることを特徴としたので、数多くの支柱部材と支持杆とを用意しなくても構成部品の共用化をはかることにより設備費、資材費が従来よりも低廉になり、経済的な無駄を省け、工期も短縮化され、コンクリート駆体を効率的に成型することができる。
【図面の簡単な説明】
【図１】本発明のコンクリート駆体の型枠板支持装置の第１実施形態を示す施工状態の断面図である。
【図２】同じく本実施形態を構成する支柱部材の固定管部を示す斜視図である。
【図３】同じく本実施形態を構成する支柱部材の可動管部を示す正面図である。
【図４】同じく可動管部を示す側面図である。
【図５】同じく垂直型枠板相互の組付け状態の一例を示す拡大断面図である。
【図６】同じく従来のコンクリート駆体の型枠板支持装置の施工状態の一例を示す断面図である。
【図７】同じく垂直型枠板相互の組付け状態の一例を示す拡大断面図である。
【符号の説明】
１    水平駆体
２    水平型枠板
３    垂直駆体
４    垂直型枠板
４′  垂直型枠板
５    セパレート
６    緊結ボルト
７    緊縮部材
８    ナット
９    縦添設部材
１０  横添設部材
１１  支柱部材
１２  支持杆
１３  固定手段
１６  固定管部
１７  可動管部
１８  軸部
【図１】
0003986790.tif 000002
【図２】
0003986790.tif 000003
【図３】
0003986790.tif 000004
【図４】
0003986790.tif 000005
【図５】
0003986790.tif 000006
【図６】
0003986790.tif 000007
【図７】
0003986790.tif 000008